(57)【要約】【課題】本体より排出される悪臭を低減した厨芥処理機を提供する。【解決手段】厨芥収納部４と、厨芥収納部４の厨芥を加熱する加熱手段９と、厨芥収納部４内の温度を検出可能な温度検出手段７と、加熱した厨芥から発生する臭いを含む水蒸気を厨芥収納部４より排出、脱臭可能な排出手段と、前記排出手段の排気側に配した臭い検出手段と、制御手段とを備え、前記制御手段は前記温度検出手段７の情報に応じて前記加熱手段９を制御しながら、厨芥収納部４内の厨芥を加熱処理すると共に、前記制御手段は前記臭い検出手段の出力に応じて加熱手段９を制御し、厨芥収納部４で発生する臭いを含む水蒸気の発生量を可変する厨芥処理機としたもので、水蒸気の量を排出手段の脱臭処理能力の範囲内に抑えることが可能となる。【選択図】図１
2007105592.tif 000002
【特許請求の範囲】
【請求項１】
厨芥収納部と、前記厨芥収納部の厨芥を加熱する加熱手段と、前記厨芥収納部内の温度を検出可能な温度検出手段と、加熱した厨芥から発生する臭いを含む水蒸気を前記厨芥収納部より排出、脱臭可能な排出手段と、前記排出手段の排気側に配した臭い検出手段と、制御手段とを備え、前記制御手段は前記温度検出手段の情報に応じて前記加熱手段を制御しながら、厨芥収納部内の厨芥を加熱処理すると共に、前記制御手段は前記臭い検出手段の出力に応じて加熱手段を制御し、厨芥収納部で発生する臭いを含む水蒸気の発生量を可変することを特徴とした厨芥処理機。
【請求項２】
厨芥収納部と、前記厨芥収納部の厨芥を加熱する加熱手段と、前記厨芥収納部内の温度を検出可能な温度検出手段と、加熱した厨芥から発生する臭いを含む水蒸気を前記厨芥収納部より排出、脱臭可能な排出手段と、制御手段と、前記制御手段が書き込み・読み出し可能な記憶手段とを備え、前記制御手段は前記温度検出手段の情報に応じて前記加熱手段を制御しながら、厨芥収納部内の厨芥を加熱処理すると共にを備え、前記制御手段は加熱乾燥処理時に運転時間（処理時間）を前記記憶手段に記憶し、累積された運転時間情報に応じて加熱手段を制御して厨芥収納部で発生する臭いを含む水蒸気の発生量を可変することを特徴とした厨芥処理機。
【請求項３】
制御手段は、厨芥収納部で発生する臭いを含む水蒸気の量が排出手段の脱臭処理能力の範囲内になるように加熱手段を制御し、加熱乾燥処理を行うことを特徴とする請求項１または２に記載の厨芥処理機。
【請求項４】
加熱手段は空気を加熱する加熱部と加熱された空気を厨芥収納部へ送風する送風手段から構成されたことを特徴とする請求項１〜３いずれか１項に記載の厨芥処理機。
【発明の詳細な説明】
【技術分野】
【０００１】
本発明は、厨芥を処理する厨芥処理機に関するものである。
【背景技術】
【０００２】
図７は、従来の厨芥処理機を示すものである。図７に示すように、１は厨芥処理機本体であり、厨芥を収容する収納部２と、前記収納部２内の厨芥を加熱するための熱源となる加熱部２ａと、前記加熱部２ａにより加熱された空気を撹拌する撹拌ファン２ｂと、前記収納部２から本体１外へ収納部２内の厨芥から発生する臭いや水蒸気を排気するための排気装置３と、外気を収納部２内へ導入するための吸気口５が設けてあり、収納部２内の厨芥から発生する臭いや水蒸気はこの吸気口５からの外気中に混じって排気装置３へと排気されていく。また排気装置３入口には臭いセンサー６が設けてあり、収納部２内の厨芥から発生する臭いの量を検知するようにしている。
【０００３】
そしてその臭いセンサー６の出力すなわち収納部２内の厨芥からの臭いの発生量の変化により排気装置３の排気能力（脱臭処理能力）を変化させるようにしている。臭いセンサー６の出力が小さい時は前記排気装置３の排気能力（脱臭処理能力）を低く抑え、臭いセンサー６の出力が大きい時は前記排気装置３の排気能力（脱臭処理能力）を高く上げるようにしている（例えば、特許文献１参照）。
【特許文献１】特開２０００−７４２３号公報
【発明の開示】
【発明が解決しようとする課題】
【０００４】
しかしながら、前記従来の構成では、排気装置の排気能力（脱臭処理能力）に関する経年変化の概念がなく、長期間使用していると排気装置の排気能力（脱臭処理能力）を最大にしても、要求される排気能力（脱臭処理能力）に達しなくなるという課題があった。
【０００５】
本発明は、前記従来の課題を解決するもので、運転中に運転時間を記憶手段へ記憶させ、総運転時間をもとに脱臭処理能力の低下を予測し、または臭いセンサによって脱臭処理能力の低下を察知し、それに応じて臭いの発生量を可変することにより、本体から悪臭を排出しないことを目的とするものである。
【課題を解決するための手段】
【０００６】
前記従来の課題を解決するために、本発明の厨芥処理機は、厨芥収納部と、前記厨芥収納部の厨芥を加熱する加熱手段と、前記厨芥収納部内の温度を検出可能な温度検出手段と、加熱した厨芥から発生する臭いを含む水蒸気を前記厨芥収納部より排出、脱臭可能な排出手段と、前記排出手段の排気側に配した臭い検出手段と、制御手段とを備え、前記制御手段は前記温度検出手段の情報に応じて前記加熱手段を制御しながら、厨芥収納部内の厨芥を加熱処理すると共に、前記制御手段は前記臭い検出手段の出力に応じて加熱手段を制御し、厨芥収納部で発生する臭いを含む水蒸気の発生量を可変する厨芥処理機としたものである。
【０００７】
これによって、厨芥から発生する臭いを含む水蒸気の量を排出手段の脱臭処理能力の範囲内に抑えることが可能となる。
【０００８】
また、本発明の厨芥処理機は、厨芥収納部と、前記厨芥収納部の厨芥を加熱する加熱手段と、前記厨芥収納部内の温度を検出可能な温度検出手段と、加熱した厨芥から発生する臭いを含む水蒸気を前記厨芥収納部より排出、脱臭可能な排出手段と、制御手段と、前記制御手段が書き込み・読み出し可能な記憶手段とを備え、前記制御手段は前記温度検出手段の情報に応じて前記加熱手段を制御しながら、厨芥収納部内の厨芥を加熱処理すると共にを備え、前記制御手段は加熱乾燥処理時に運転時間（処理時間）を前記記憶手段に記憶し、累積された運転時間情報に応じて加熱手段を制御して厨芥収納部で発生する臭いを含む水蒸気の発生量を可変する厨芥処理機としたものである。
【０００９】
これによって、臭い検出手段を用いずとも排出手段の経年変化による性能低下に対応でき、更に厨芥から発生する臭いを含む水蒸気の量を排出手段の脱臭処理能力の範囲内に抑えることが可能となる。
【発明の効果】
【００１０】
本発明の厨芥処理機は、排出手段の脱臭処理能力の経年変化に対応した加熱乾燥処理を行うことにより、本体から悪臭を排出しないようにすることができる。
【発明を実施するための最良の形態】
【００１１】
第１の発明は、厨芥収納部と、前記厨芥収納部の厨芥を加熱する加熱手段と、前記厨芥収納部内の温度を検出可能な温度検出手段と、加熱した厨芥から発生する臭いを含む水蒸気を前記厨芥収納部より排出、脱臭可能な排出手段と、前記排出手段の排気側に配した臭い検出手段と、制御手段とを備え、前記制御手段は前記温度検出手段の情報に応じて前記加熱手段を制御しながら、厨芥収納部内の厨芥を加熱処理すると共に、前記制御手段は前記臭い検出手段の出力に応じて加熱手段を制御し、厨芥収納部で発生する臭いを含む水蒸気の発生量を可変する厨芥処理機としたものである。
【００１２】
これにより、厨芥から発生する臭いを含む水蒸気の量を排出手段の脱臭処理能力の範囲内にすることになり、本体から悪臭を排出しないようにすることができる。
【００１３】
第２の発明は、厨芥収納部と、前記厨芥収納部の厨芥を加熱する加熱手段と、前記厨芥収納部内の温度を検出可能な温度検出手段と、加熱した厨芥から発生する臭いを含む水蒸気を前記厨芥収納部より排出、脱臭可能な排出手段と、制御手段と、前記制御手段が書き込み・読み出し可能な記憶手段とを備え、前記制御手段は前記温度検出手段の情報に応じて前記加熱手段を制御しながら、厨芥収納部内の厨芥を加熱処理すると共にを備え、前記制御手段は加熱乾燥処理時に運転時間（処理時間）を前記記憶手段に記憶し、累積された運転時間情報に応じて加熱手段を制御して厨芥収納部で発生する臭いを含む水蒸気の発生量を可変する厨芥処理機としたものである。
【００１４】
これにより、厨芥から発生する臭いを含む水蒸気の量を排出手段で脱臭処理可能な範囲にすることになり、本体から悪臭を排出しないようにすることができる。
【００１５】
第３の発明は、特に、第１または第２の発明の制御手段において、制御手段は、厨芥収納部で発生する臭いを含む水蒸気の量が排出手段の脱臭処理能力の範囲内になるように加熱手段を制御し、加熱乾燥処理を行うことにより、排出手段の脱臭処理能力が低下した場合においても、加熱手段により厨芥から発生する臭いを含む水蒸気の量を変化させることで、排出手段で脱臭処理可能な蒸発量にすることができ、本体から悪臭を排出しないようにすることができる。
【００１６】
第４の発明は、特に、第１から３のいずれか１つの発明の制御手段において、加熱手段は空気を加熱する加熱部と加熱された空気を厨芥収納部へ送風する送風手段から構成されたことにより、排出手段の脱臭処理能力が低下した場合においても、送風手段により厨芥から発生する臭いを含む水蒸気の量を変化させることで、排出手段で脱臭可能な水蒸気の量にすることができ、本体から悪臭を排出しないようにすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における厨芥処理機本体の断面図を示すものである。
【００１９】
厨芥処理機本体１は吸引ファン２と吸引ファン２を駆使するモーター３及び乾燥処理する厨芥を収容する厨芥収納部４、厨芥を乾燥処理するために空気を加熱する加熱部と加熱された空気を厨芥収納部へ送風する送風手段１０から構成された加熱手段９、前記加熱手段９により加熱された空気を撹拌する送風手段１０、厨芥収納部４内の温度を検出する第１温度検出手段７、さらに排気中の臭い成分を分解するための脱臭手段５を内蔵した厨芥処理機本体である。また厨芥処理機本体１の厨芥収納部４の上方には外気導入用の吸気口６を設けてある。厨芥の乾燥処理時は吸引ファン２をモーター３によって回転させて発生する急気流によって吸気口６から厨芥処理機本体１内の厨芥収納部４内へ外気を導入し、厨芥と接する空気中の水蒸気の分圧をできるだけ小さくして厨芥中の水分がそれと接触する空気中へ蒸発しやすいようにしている。さらに厨芥収納部４内を外気圧に対して若干負圧に保って正規の排気経路（脱臭手段５を通過する経路）以外からの臭いを含んだ排気の漏れを防止するようにしている。また脱臭手段以降の排気経路に臭い検出手段（図示せず）が設けてあり、厨芥処理機本体１から排出される臭いの量を検知するようにしている。
【００２０】
制御ブロック図を図２に示す。制御手段１１は例えばマイクロコンピュータで構成され、加熱手段９や送風手段１０は制御手段１１で制御される。また、第１温度検出手段７や厨芥収納部４内の厨芥が乾燥したことを検出する第２温度検出手段８の出力は制御手段１１の入力となる。この第２温度検出手段８は、前記厨芥収納部４から前記脱臭手段５の間に設けられており、この出力によって乾燥状態を判断している。厨芥が未乾燥状態の時には蒸気が厨芥収納部４内に多く発生しており、この蒸気が前記脱臭手段５に導かれるため、高い温度の空気が前記第２温度検出手段８の位置する経路に流れる。乾燥が進むと、厨芥収納部４内の蒸気量が減少するため脱臭手段５に流入する空気の温度が低下していく。この変化をとらえて乾燥状態を判断し、第２の温度検出手段８の出力が低下すると、乾燥が終了したと判断し、加熱手段９をオフし、冷却させる。そして冷却期間の終了は、第１温度検出手段７の出力が正常であれば第１温度検出手段７の出力が所定の値まで低下し冷却終了とし電源をオフする。
【００２１】
臭い検出手段に関する制御を図３に示す。制御手段１１は運転開始から運転終了までの間、臭い検出手段１３の出力電圧が所定値Ａを越えることのないように監視を行う。もし経年変化によって脱臭手段５の脱臭処理能力が低下し、所定値Ａを越えた場合、制御手段１１は加熱手段９の出力を所定値低下させることにより、厨芥収納部の温度を下げ、脱臭手段５の脱臭処理能力の範囲内になるように単位時間あたりの厨芥から発生する臭いを含む水蒸気の量を減らすことで、本体からの悪臭の排出を防ぐことができる。
【００２２】
また、送風手段１０を用いて厨芥から発生する臭いを含む水蒸気の量を制御することも可能である。制御手段１１によって送風手段１０の駆動手段（図示せず）の電圧値や周波数を変化させ、送風手段１０の回転数を変化させることにより、厨芥収納部へ吹き付ける風量が変化し、厨芥から発生する臭いを含む水蒸気の量が制御可能となる。
【００２３】
以上のように、本実施の形態においては、臭い検出手段を用いることで経年変化による脱臭手段の劣化による脱臭処理能力低下が発生した場合においても、厨芥から発生する臭いを含む水蒸気の量の制御を行うことによって、臭いを厨芥処理機外へ排出すること無く加熱乾燥処理を行うことができる。
【００２４】
また、操作部（図示せず）にＬＥＤを設けて制御手段１１によって制御を行い、臭い検出手段の出力が図３の所定値Ａを越えた時にＬＥＤを点滅または点灯させることにより、脱臭手段５の劣化を使用者に報知すると共に、脱臭手段のメンテナンスや交換を促すことが可能となる。
【００２５】
さらに、臭い検出手段の出力が図３の所定値Ｂを越えた時に、制御手段１１によって加熱乾燥処理を停止させる、または運転を開始させないようにすることで、悪臭を厨芥処理機外へ排出させない制御が可能となる。
【００２６】
（実施の形態２）
本発明の実施の形態２における厨芥処理機の構成は、実施の形態１と同様であり、その構成図は図１で表すことができる。
【００２７】
厨芥処理機本体１は吸引ファン２と吸引ファン２を駆使するモーター３及び乾燥処理する厨芥を収容する厨芥収納部４、厨芥を乾燥処理するために空気を加熱する加熱部と加熱された空気を厨芥収納部へ送風する送風手段１０から構成された加熱手段９、前記加熱手段９により加熱された空気を撹拌する送風手段１０、厨芥収納部４内の温度を検出する第１温度検出手段７、さらに排気中の臭い成分を分解するための脱臭手段５を内蔵した厨芥処理機本体である。また厨芥処理機本体１の厨芥収納部４の上方には外気導入用の吸気口６を設けてある。厨芥の乾燥処理時は吸引ファン２をモーター３によって回転させて発生する急気流によって吸気口６から厨芥処理機本体１内の厨芥収納部４内へ外気を導入し、厨芥と接する空気中の水蒸気の分圧をできるだけ小さくして厨芥中の水分がそれと接触する空気中へ蒸発しやすいようにしている。さらに厨芥収納部４内を外気圧に対して若干負圧に保って正規の排気経路（脱臭手段５を通過する経路）以外からの臭いを含んだ排気の漏れを防止するようにしている。
【００２８】
本実施の形態の厨芥処理機の制御ブロック図を図４に示す。制御手段１１は例えばマイクロコンピュータで構成され、記憶手段は不揮発性メモリで構成されている。加熱手段９や送風手段１０や記憶手段１２は制御手段１１で制御される。特に記憶手段１２に記憶されている情報には、運転毎に制御手段１１によって運転時間が書き込まれ、その積算である総運転時間が記憶される。また、第１温度検出手段７や厨芥収納部４内の厨芥が乾燥したことを検出するための第２温度検出手段８の出力は制御手段１１の入力となる。この第２温度検出手段８は、前記厨芥収納部４から前記脱臭手段５の間に設けられており、この出力によって乾燥状態を判断している。厨芥が未乾燥状態の時には蒸気が厨芥収納部４内に多く発生しており、この蒸気が前記脱臭手段５に導かれるため、高い温度の空気が前記第２温度検出手段８の位置する経路に流れる。乾燥が進むと、厨芥収納部４内の蒸気量が減少するため脱臭手段５に流入する空気の温度が低下していく。この変化をとらえて乾燥状態を判断し、第２の温度検出手段８の出力が低下すると、乾燥が終了したと判断し、加熱手段９をオフし、冷却させる。そして冷却期間の終了は、第１温度検出手段７の出力が正常であれば第１温度検出手段７の出力が所定の値まで低下し冷却終了とし電源をオフする。このとき、運転開始から運転終了までの時間を制御手段１１により計時しておき、運転終了後に総運転時間として記憶手段１２へ書き込みを行う。
【００２９】
運転開始時に記憶手段１２より総運転時間の読み出しを行い、制御手段１１によって図５のフローチャートに示すように総運転時間の段階によって加熱手段９の補正制御を行う。補正制御を行うにあたり、図６に示す脱臭処理能力の経年特性をもとに予め設定しておく。図６は時間の経過と共に単位時間当たりに脱臭可能な気体量の変化を示している。時間と共に低下する脱臭可能となる気体量以下になるように、制御手段１１は加熱手段９の制御を行う。
【００３０】
また、送風手段１０を用いて厨芥から発生する臭いを含む水蒸気の量を制御することも可能である。制御手段１１によって送風手段１０の駆動手段（図示せず）の電圧値や周波数を変化させ、送風手段１０の回転数を変化させることにより、厨芥収納部へ吹き付ける風量が変化し、厨芥から発生する臭いを含む水蒸気の量が制御可能となる。
【００３１】
以上のように、本実施の形態においては、総運転時間を記憶手段に記憶しておくことで、経年変化による脱臭手段の劣化による脱臭処理能力の低下が発生した場合においても、劣化を想定した制御を行うことができるので、臭いを厨芥処理機外へ排出すること無く加熱乾燥処理を行うことができる。
【００３２】
また、操作部（図示せず）にＬＥＤを設けて制御手段１１によって制御し、所定の運転時間が経過した時にＬＥＤを点滅または点灯させることにより、脱臭手段５の劣化を使用者に報知すると共に、脱臭手段のメンテナンスや交換を促すことが可能となる。
【産業上の利用可能性】
【００３３】
以上のように、本発明にかかる厨芥処理機は、脱臭手段の経年変化に対応した運転制御を行うことにより、本体より排出される悪臭を減らすことを可能にしたもので、脱臭手段を有する各制御機器に有用なものである。
【図面の簡単な説明】
【００３４】
【図１】本発明の第１および第２の実施の形態における厨芥処理機本体の要部断面図
【図２】本発明の第１の実施の形態における厨芥処理機の制御ブロック図
【図３】同厨芥処理機の臭い検出手段を用いた制御方法を示す図
【図４】本発明の第２の実施の形態における厨芥処理機の制御ブロック図
【図５】同厨芥処理機のフローチャート
【図６】同厨芥処理機の脱臭処理能力の経年特性を表す図
【図７】従来の厨芥処理機本体の断面図
【符号の説明】
【００３５】
１    厨芥処理機本体
２    吸引ファン（排気手段）
３    モーター（排気手段）
４    厨芥収納部
５    脱臭手段（排気手段）
７    第１温度検出手段
９    加熱手段
１０  送風手段
１１  制御手段
１２  記憶手段
１３  臭い検出手段
【図１】
2007105592.tif 000003
【図２】
2007105592.tif 000004
【図３】
2007105592.tif 000005
【図４】
2007105592.tif 000006
【図５】
2007105592.tif 000007
【図６】
2007105592.tif 000008
【図７】
2007105592.tif 000009